(57)【要約】【課題】紙詰まり処理やメンテナンスをより効率よくスムーズに行うことが可能な画像形成装置を提供すること。【解決手段】像担持体を有する像担持ユニット５と、像担持体の表面を帯電させる帯電ユニット６と、帯電された像担持体の表面を露光することにより静電潜像を形成する露光ユニット７と、静電潜像に基づいてトナー像を形成する現像ユニット８と、トナー像を直接的又は間接的に前記シートに転写する転写ユニット９と、像担持体の表面からトナーを取り除くためのクリーニングユニット１０と、シートに画像を定着するための定着ユニット１２と、シートを搬送するための１つ又は複数の搬送ユニット１１、１３、１４と、を備え、複数のユニットのうち、少なくとも１つのユニット１４は、本体から引き出し可能であり、引き出されたユニット１４は、少なくとも一方向に所定の角度、回転可能である、画像形成装置である。【選択図】図７
2007225723.tif 000002
【特許請求の範囲】
【請求項１】
シート上に画像を形成する画像形成装置であって、
像担持体を有する像担持ユニットと、
前記像担持体の表面を帯電させる帯電ユニットと、
前記帯電された像担持体の表面を露光することにより静電潜像を形成する露光ユニットと、
前記静電潜像に基づいてトナー像を形成する現像ユニットと、
前記トナー像を直接的又は間接的に前記シートに転写する転写ユニットと、
前記像担持体の表面から前記トナーを取り除くためのクリーニングユニットと、
前記シートに画像を定着するための定着ユニットと、
前記シートを搬送するための１つ又は複数の搬送ユニットと、を備え、
複数のそれぞれの前記ユニットのうち、少なくとも１つのユニットは、本体から引き出し可能であり、
前記引き出されたユニットは、少なくとも一方向に所定の角度、回転可能である、画像形成装置。
【請求項２】
前記回転は、水平面上における回転であり、
前記所定の角度とは、３６０度である、請求項１記載の画像形成装置。
【請求項３】
前記本体に取り付けられた一対の平行な固定レールと、
前記固定レール上を前記本体の前面に向けてスライド可能な一対のスライドレールと、
前記引き出し可能なユニットを前記回転可能に載置するために、前記スライドレールに固定された載置台と、を備え、
前記ユニットは、前記スライドレールによって前記本体の前面方向に引き出し可能である、請求項１記載の画像形成装置。
【請求項４】
前記本体に取り付けられた一対の平行な第１固定レールと、
前記第１固定レール上を前記本体の前面に向けてスライド可能な一対の第１スライドレールと、
前記第１スライドレールに交差して取り付けられた一対の平行な第２固定レールと、
前記第２固定レール上をスライド可能な一対の第２スライドレールと、
前記引き出し可能なユニットを前記回転可能に載置するために、前記第２スライドレールに固定された載置台と、を備え、
前記ユニットは、前記第１スライドレールによって前記本体の前面方向に引き出し可能であり、
前記引き出されたユニットは、前記第２スライドレールによって横方向に移動可能である、請求項１記載の画像形成装置。
【請求項５】
前記ユニットの前記回転を所定の位置で停止させるために、前記載置台に設けられた位置決め部材を備え、
前記所定の位置とは、前記本体に収納するに際し、前記ユニットの前記載置台上の元の配置となる位置である、請求項３又は４記載の画像形成装置。
【請求項６】
画像が形成されるシートを搬送するための搬送ユニットと、本体に取り付けられた一対の平行な固定レールと、前記固定レール上を前記本体の前面に向けてスライド可能な一対のスライドレールと、前記搬送ユニットを前記回転可能に載置するために、前記スライドレールに固定された載置台と、を備えた画像形成装置のメンテナンス方法であって、
前記搬送ユニットを前記スライドレールによって前記本体の前面方向に引き出す工程と、
前記引き出された搬送ユニットを前記載置台上で回転させる工程と、
前記回転された搬送ユニットをメンテナンスする工程と、を有する画像形成装置のメンテナンス方法。
【請求項７】
画像が形成されるシートを搬送するための搬送ユニットと、前記本体に取り付けられた一対の平行な第１固定レールと、前記第１固定レール上を前記本体の前面に向けてスライド可能な一対の第１スライドレールと、前記第１スライドレールに交差して取り付けられた一対の平行な第２固定レールと、前記第２固定レール上をスライド可能な一対の第２スライドレールと、前記搬送ユニットを前記回転可能に載置するために、前記第２スライドレールに固定された載置台と、を備えた画像形成装置のメンテナンス方法であって、
前記搬送ユニットを、前記第１スライドレールによって前記本体の前面方向に引き出す工程と、
前記搬送ユニットを、前記第２スライドレールによって横方向に移動する工程と、
前記引き出された搬送ユニットを前記載置台上で回転させる工程と、
前記回転された搬送ユニットをメンテナンスする工程と、を有する画像形成装置のメンテナンス方法。
【発明の詳細な説明】
【技術分野】
【０００１】
本発明は、複写機、プリンタ、及びファックス等の画像形成装置及び画像形成装置のメンテナンス方法に関する。
【背景技術】
【０００２】
一般的に、複写機等の画像形成装置には、シートに画像を形成するための画像形成ユニット、及びシートに画像を定着するための定着ユニット、及びシートを搬送するための搬送ユニット等が設けられている。
【０００３】
このような画像形成装置においては、シートの斜め搬送、環境の変化、シート自体の質（腰の強さ、厚さ、材質、カール状況等）により、各ユニット内においてシート搬送路中に紙詰まり等のＪＡＭが発生する場合がある。
【０００４】
また、長時間にわたる使用による構成部品の劣化等により、部品交換などのメンテナンスを行う必要が生じる場合もある。
【０００５】
このような場合、従来の画像形成装置では、各ユニットが装置本体の前面方向に引き出し可能な構成となっており、該当するユニットを引き出し、紙詰まり処理や、メンテナンスを行っていた（例えば、特許文献１参照）。
【特許文献１】特開平０３−１０５３６３号公報
【発明の開示】
【発明が解決しようとする課題】
【０００６】
しかしながら、上記のようにユニットを引き出した場合であっても、ユニットの裏面側のＪＡＭ処理や部品交換を行う場合には、ユニットと本体装置の隙間から手を挿入するか、ユニットをレールから取り外して作業を行う必要があり、作業性が悪く手間がかかるという課題があった。
【０００７】
本発明は、従来の画像形成装置の課題を考慮して、紙詰まり処理やメンテナンスをより効率よくスムーズに行うことが可能な画像形成装置、及び画像形成装置のメンテンンス方法を提供することを目的とする。
【課題を解決するための手段】
【０００８】
上記の目的を達成するために、第１の本発明は、
シート上に画像を形成する画像形成装置であって、
像担持体を有する像担持ユニットと、
前記像担持体の表面を帯電させる帯電ユニットと、
前記帯電された像担持体の表面を露光することにより静電潜像を形成する露光ユニットと、
前記静電潜像に基づいてトナー像を形成する現像ユニットと、
前記トナー像を直接的又は間接的に前記シートに転写する転写ユニットと、
前記像担持体の表面から前記トナーを取り除くためのクリーニングユニットと、
前記シートに画像を定着するための定着ユニットと、
前記シートを搬送するための１つ又は複数の搬送ユニットと、を備え、
複数のそれぞれの前記ユニットのうち、少なくとも１つのユニットは、本体から引き出し可能であり、
前記引き出されたユニットは、少なくとも一方向に所定の角度、回転可能である、画像形成装置である。
【０００９】
又、第２の本発明は、
前記回転は、水平面上における回転であり、
前記所定の角度とは、３６０度である、第１の本発明の画像形成装置である。
【００１０】
又、第３の本発明は、
前記本体に取り付けられた一対の平行な固定レールと、
前記固定レール上を前記本体の前面に向けてスライド可能な一対のスライドレールと、
前記引き出し可能なユニットを前記回転可能に載置するために、前記スライドレールに固定された載置台と、を備え、
前記ユニットは、前記スライドレールによって前記本体の前面方向に引き出し可能である、第１の本発明の画像形成装置である。
【００１１】
又、第４の本発明は、
前記本体に取り付けられた一対の平行な第１固定レールと、
前記第１固定レール上を前記本体の前面に向けてスライド可能な一対の第１スライドレールと、
前記第１スライドレールに交差して取り付けられた一対の平行な第２固定レールと、
前記第２固定レール上をスライド可能な一対の第２スライドレールと、
前記引き出し可能なユニットを前記回転可能に載置するために、前記第２スライドレールに固定された載置台と、を備え、
前記ユニットは、前記第１スライドレールによって前記本体の前面方向に引き出し可能であり、
前記引き出されたユニットは、前記第２スライドレールによって横方向に移動可能である、第１の本発明の画像形成装置である。
【００１２】
又、第５の本発明は、
前記ユニットの前記回転を所定の位置で停止させるために、前記載置台に設けられた位置決め部材を備え、
前記所定の位置とは、前記本体に収納するに際し、前記ユニットの前記載置台上の元の配置となる位置である、第３又は４の本発明の画像形成装置である。
【００１３】
又、第６の本発明は、
画像が形成されるシートを搬送するための搬送ユニットと、本体に取り付けられた一対の平行な固定レールと、前記固定レール上を前記本体の前面に向けてスライド可能な一対のスライドレールと、前記搬送ユニットを前記回転可能に載置するために、前記スライドレールに固定された載置台と、を備えた画像形成装置のメンテナンス方法であって、
前記搬送ユニットを前記スライドレールによって前記本体の前面方向に引き出す工程と、
前記引き出された搬送ユニットを前記載置台上で回転させる工程と、前記回転された搬送ユニットをメンテナンスする工程と、を有する画像形成装置のメンテナンス方法である。
【００１４】
又、第７の本発明は、
画像が形成されるシートを搬送するための搬送ユニットと、前記本体に取り付けられた一対の平行な第１固定レールと、前記第１固定レール上を前記本体の前面に向けてスライド可能な一対の第１スライドレールと、前記第１スライドレールに交差して取り付けられた一対の平行な第２固定レールと、前記第２固定レール上をスライド可能な一対の第２スライドレールと、前記搬送ユニットを前記回転可能に載置するために、前記第２スライドレールに固定された載置台と、を備えた画像形成装置のメンテナンス方法であって、
前記搬送ユニットを、前記第１スライドレールによって前記本体の前面方向に引き出す工程と、
前記搬送ユニットを、前記第２スライドレールによって横方向に移動する工程と、
前記引き出された搬送ユニットを前記載置台上で回転させる工程と、前記回転された搬送ユニットをメンテナンスする工程と、を有する画像形成装置のメンテナンス方法である。
【発明の効果】
【００１５】
本発明によれば、紙詰まり処理やメンテナンスをより効率よくスムーズに行うことが可能な画像形成装置、及び画像形成装置のメンテナンス方法を提供することが出来る。
【発明を実施するための最良の形態】
【００１６】
以下、本発明にかかる画像形成装置の一例としての複写機について説明する。
【００１７】
（実施の形態１）
図１は、本発明にかかる実施の形態１の複写機の正面図である。図１に示すように、本実施の形態の複写機は、本体１と、本体１の上部に設けられた原稿自動搬送ユニット２と、本体１の下部に設けられた給紙カセット３とを備えている。
【００１８】
図２は、本実施の形態の複写機の正面構成図である。図２に示すように、原稿搬送ユニット２の下側には、読み取りガラス面、露光ランプ、レンズ、ミラー等により原稿の画像を読み取る原稿読み取りユニット４を備えている。
【００１９】
又、給紙カセット３から供給された、本発明のシートの一例である用紙にトナー画像を形成するために、本発明の像担持体の一例に相当する感光体ドラムを有する像担持体ユニット５が設けられている。この感光体ドラムの表面を帯電させる帯電ユニット６と、帯電された感光体ドラムの表面を露光することにより静電潜像を形成する露光ユニット７と、静電潜像に基づいてトナー画像を形成する現像ユニット８と、トナー像を用紙に直接的に転写する転写ユニット９と、感光体ドラムの表面から残存トナーを取り除くためのクリーニングユニット１０が設けられている。又、給紙カセット３から用紙を転写ユニット９へと給紙する給紙ユニット１１が設けられている。
【００２０】
更に、トナー画像を用紙に定着するための定着ユニット１２と、トナー画像が定着された用紙を排出するための排出ユニット１３が設けられている。
【００２１】
又、用紙の両面に画像を形成するために、定着ユニット１２と排出ユニット１３の間から再び転写ユニット９へと用紙を搬送するための両面搬送ユニット１４が設けられている。なお、図２において、両面搬送ユニット１４は点線で示されている。
【００２２】
図３は、本実施の形態の画像形成装置の構成図である。図３において本体１は枠組みのみ示されている。又、図３において本体１の上部には、上述した転写ユニット９及び定着ユニット１２、排出ユニット１３が示されており、像担持体ユニット５の感光体ドラムは点線で示されている。
【００２３】
又、本体１の、これら転写ユニット９等の下側には、２本の平行なレール２０が後面１ｂから前面１ａに向けて配置されている。これら、２本の平行なレール２０には、前面１ａの方向にスライド可能なスライドレール１５が取り付けられている。又、スライドレール１５には、載置板１６が固定されており、この載置板１６上には両面搬送ユニット１４が回転可能に載置されている。なお、両面搬送ユニット１４の、本体１の前面１ａ側の面を前面１４ｅとし、後面１ｂ側の面を後面１４ｄとする。
【００２４】
図４は、載置板１６の斜視図である。図４に示すように、板状の載置板１６の中央には円柱形状のピン１７が直立に設けられている。又、矩形状に切り抜かれた開口部１８が形成されており、その開口部１８内には板バネ１９が配置されている。
【００２５】
図５は、開口部１８及び板バネ１９の断面図である。図５に示されているように、載置板１６の下面１６ｂに板バネ１９の一端が固定されている。この板バネ１９は他端に凸部１９ａを有しており、凸部１９ａの一部は、載置板１６の上面１６ａよりも突出している。
【００２６】
図６は、両面搬送ユニット１４を下方からみた斜視図である。図６に示すように、両面搬送ユニット１４の下面１４ｃには、ピン１７と嵌合する凹部１４ａと板バネ１９の凸部１９ａと嵌合する凹部１４ｂが形成されている。
【００２７】
従って、図３に示されている状態では、両面搬送ユニット１４は、ピン１７と板バネ１９の凹部１９ａと嵌合した状態で、載置板１６に載置されている。尚、この状態における両面搬送ユニット１４の載置板１６上の位置が、本発明の元の配置の一例に相当する。
【００２８】
次に、両面搬送ユニット１４が載置板１６上で回転する構造について説明する。
【００２９】
図７は、載置板１６上で両面搬送ユニット１４が矢印Ａ方向に回転している状態を模式的に示している斜視図である。図７に示すように、両面搬送ユニットは、載置板１６に対してピン１７を中心に３６０度回転可能である。尚、図７以降では、両面搬送ユニット１４を簡略化し直方体形状で示している。
【００３０】
図８（ａ）、（ｂ）は、載置板１６上を両面搬送ユニット１４が矢印Ａ方向に回転している状態を示す矢印Ｄ方向断面図である。図８（ａ）の状態は、図３に示すような両面搬送ユニット１４が回転していない状態を示しており、板バネ１９の凸部１９ａが、両面搬送ユニット１４の凹部１４ａに嵌合している。
【００３１】
図８（ａ）に示す状態から、矢印Ａ方向に両面搬送ユニット１４が回転することによって、板バネ１９が下（矢印Ｂ方向）に押し下げられる。そして、図８（ｂ）に示すように、板バネ１９の凸部１９ａが下面１４ｃに接触した状態で両面搬送ユニット１４は回転する。
【００３２】
図９は、両面搬送ユニット１４を９０度動かした状態を示す斜視図である。ここから、さらに９０度矢印Ａ方向に回転させることによって、両面搬送ユニット１４の後面１４ｄは前面に向く。このように、両面搬送ユニット１４は、任意の角度に回転可能である。尚、両面搬送ユニット１４の後面１４ｄには、本体１への装着時に、本体１と電気的に接続するためのコネクタが設けられており、回転の際には電気配線の引き回しを考慮する必要はない。
【００３３】
次に、本発明の画像形成装置のメンテナンス方法の一例について説明する。
【００３４】
両面搬送ユニット１４において、画像形成動作中に紙詰まりが発生した場合や、部品交換を行う場合には、はじめに、作業者は両面搬送ユニット１４が本体１の前面１ａ側に引き出す。
【００３５】
次に、作業者は、少なくとも後面１４ｄのメンテナンス等を行いやすい角度（本発明の所定の角度の一例に相当する）まで、両面搬送ユニット１４を回転する。
【００３６】
この状態で、作業者は、後面１４ｄのメンテナンスを行う。
【００３７】
以上より、両面搬送ユニット１４を引き出しただけの状態と比較して、後面１４ｄ側の部品交換等のメンテナンスや、ＪＡＭ処理を容易に行うことが出来る。また、ユニットをレールから取り外す等の作業をする必要がなくなるため、作業時間を短縮することも出来る。
【００３８】
また、メンテナンスやＪＡＭ処理終了後には、板バネ１９の凸部１９ａを両面搬送ユニット１４の凹部１４ａに嵌合させるように（図８（ａ）参照）、両面搬送ユニット１４は、Ａ方向に更に１８０度回転される。これにより、載置板１６上に両面搬送ユニット１４は位置決めされる。
【００３９】
この位置決めにより、本体１へ両面搬送ユニット１４を挿入した際に、本体１側のコネクタと両面搬送ユニット１４のコネクタとの接続を容易に、又より確実に行うことが可能となる。
【００４０】
尚、本発明の固定レールは、例えば、本実施の形態１のレール２０に相当し、本発明のスライドレールは、例えば、本実施の形態のスライドレール１５に相当する。又、本発明の載置台は、例えば、本実施の形態の載置板１６に相当し、本発明の位置決め部材は、例えば、本実施の形態の板バネ１９に相当する。
【００４１】
（実施の形態２）
次に、本発明にかかる実施の形態２の複写機について説明する。本実施の形態２の複写機は、実施の形態１と基本的な構成は同じであるが、両面搬送ユニット１４を引き出すスライド部分の構成が異なる。従って、本実施の形態２の複写機について、実施の形態１との相違点を中心に説明する。なお、実施の形態１と同一の構成要素については同一符号が付されている。
【００４２】
図１０は、本発明にかかる実施の形態における複写機において両面搬送ユニット１４を取り除いた状態の斜視図である。図１０に示されているように、実施の形態１において説明したスライドレール１５には載置板１６の代わりに本体取付用底板２１が固定されている。
【００４３】
この本体取付用底板２１には、その上面にスライドレール１５の垂直方向に固定配置された固定レール２２が設けられている。又、固定レール２２に対してスライド可能なスライドレール２３が、実施の形態１で説明した載置板１６の下面１６ｂに設けられており、載置板１６は、固定レール２２及びスライドレール２３を介して本体取付用底板２１に載置されている。
【００４４】
図１１は、図１０で示した載置板１６に両面搬送ユニット１４を載置した状態を示す斜視図である。図１１に示すように、本実施の形態の複写機では、両面搬送ユニット１４を本体１の前面１ａ方向に引き出した後に、横方向（矢印Ｃ参照）に更に移動させることが可能となる。
【００４５】
又、図１２は、前面１ａ方向に引き出した両面搬送ユニット１４を、横方向に移動した後に、載置板１６に対して回転させている状態を示す斜視図である。
【００４６】
次に、本発明の画像形成装置のメンテナンス方法の一例について説明する。
【００４７】
両面搬送ユニット１４において、画像形成動作中に紙詰まりが発生した場合や、部品交換を行う場合には、はじめに、作業者は両面搬送ユニット１４が本体１の前面１ａ側に引き出す。
【００４８】
次に、作業者は、両面搬送ユニット１４を横移動させる。
【００４９】
次に、作業者は、少なくとも後面１４ｄのメンテナンス等を行いやすい角度（本発明の所定の角度の一例に相当する）まで、両面搬送ユニット１４を回転する。
【００５０】
この状態で、作業者は、後面１４ｄのメンテナンスを行う。
【００５１】
以上のように、両面搬送ユニット１４が横方向（矢印Ｃ方向）にも移動可能な構成とすることにより、複写機が、その側面１ｃ（矢印Ｃと反対側の側面）が壁の近傍に位置するように設置されていた場合であっても、メンテナンス等やＪＡＭ処理を容易に行うことが可能となる。
【００５２】
尚、本発明の第１固定レールは、例えば、本実施の形態２のレール２０に相当し、本発明の第１スライドレールは、例えば、本実施の形態２のスライドレール１５に相当する。又、本発明の第２固定レールは、例えば本実施の形態２の固定レール２２に相当し、本発明の第２スライドレールは、例えば本実施の形態２のスライドレール２３に相当する。
【００５３】
又、本実施の形態２では、スライドレール２３は、本体取付用底板２１を介してスライドレール１５上に配置されているが、本体取付用底板２１を介さずに直接スライドレール１５上に固定されていても良い。
【００５４】
尚、本発明の搬送ユニットは、例えば、上記実施の形態の両面搬送ユニット１４、排出ユニット１３、又は給紙ユニット１４に相当するが、用紙を搬送する機能を有するユニットであればよい。
【００５５】
また、実施の形態１では、両面搬送ユニット１４についてのみ引き出し可能及び回転可能な構成として説明したが、像担持ユニット５、帯電ユニット６、露光ユニット７、現像ユニット、転写ユニット９、定着ユニット１２、給紙ユニット１１、排出ユニット１３のいずれに対しても、引き出し可能且つ回転可能な構成を適用してもよい。
【００５６】
更に、上記ユニットのうち複数のユニットを組み合わせた状態で、引き出し可能且つ回転可能な構成としてもよい。例えば、像担持体ユニット５、帯電ユニット６、露光ユニット７、現像ユニット８を１つのユニットとして構成し、載置板上に載置して引き出し可能且つ回転可能な構成としてもよい。尚、実施の形態２で説明した、引き出し、横移動、且つ回転可能な構成についても同様である。
【００５７】
又、上記実施の形態の複写機では、両面搬送ユニット１４は、載置板１６上を３６０度回転可能な構成としたが、少なくとも作業者が後面１４ｄのメンテナンス等を行いやすい角度（本発明の所定の角度の一例に相当する）まで回転可能であればよい。
【００５８】
又、上記実施の形態の複写機では、両面搬送ユニット１４を本体１に挿入する際に、本体１側のコネクタとの接続が容易になるように板バネ１９によって両面搬送ユニット１４の位置決めを行っているが、板バネ１９とは異なる他の構成により両面搬送ユニット１４の位置決めを行っても良いし、板バネ１９がない構成としても良い。
【００５９】
又、上記実施の形態の複写機では、ピン１７を中心にして両面搬送ユニット１４は回転可能な構成となっているが、ピン１７の周囲に円周状に支持ローラを備えて、ピン１７を中心にしてローラ上を両面搬送ユニット１４が移動することにより、より安定して両面搬送ユニット１４が回転可能な構成としてもよい。
【００６０】
又、本発明のトナー像を直接的にシートに転写する転写ユニットは、例えば、上記実施の形態の転写ユニット９に相当する。又、本発明のトナー像を間接的にシートに転写する転写ユニットは、例えば、中間転写ベルトに相当する。この中間転写ベルトは、例えば、各色素のトナー像を一旦中間転写ベルト上に転写し、重ね合わせた後に用紙に転写するために、１ドラム方式のカラー複写機等に用いられている。
【００６１】
なお、本発明の画像形成装置の一例は、上記実施の形態の複写機に相当するが、プリンター、ファックスであってもよい。
【産業上の利用可能性】
【００６２】
本発明の画像形成装置及び画像形成装置のメンテンンス方法は、紙詰まり処理やメンテナンスをより効率よくスムーズに行うことが可能な効果を有しており、複写機、プリンター、ファックス等として有用である。
【図面の簡単な説明】
【００６３】
【図１】本発明にかかる実施の形態１における複写機の外観図
【図２】本発明にかかる実施の形態１における複写機の正面構成図
【図３】本発明にかかる実施の形態１における複写機の両面搬送ユニットを引き出した状態を説明するための斜視図
【図４】本発明にかかる実施の形態１における複写機の載置板の斜視図
【図５】本発明にかかる実施の形態１における複写機の載置板の断面図
【図６】本発明にかかる実施の形態１における複写機の両面搬送ユニットの下方からみた斜視図
【図７】本発明にかかる実施の形態１における複写機の両面搬送ユニットを回転させている状態を説明するための斜視図
【図８】（ａ）本発明にかかる実施の形態１における複写機の両面搬送ユニットを回転させている状態を説明するための断面図（ｂ）本発明にかかる実施の形態１における複写機の両面搬送ユニットを回転させている状態を説明するための断面図
【図９】本発明にかかる実施の形態１における複写機の両面搬送ユニットを９０度回転させた状態を説明するための斜視図
【図１０】本発明にかかる実施の形態２における複写機の構造を説明するための斜視図
【図１１】本発明にかかる実施の形態２における複写機から引き出した両面搬送ユニットを横移動させた状態を示す斜視図
【図１２】本発明にかかる実施の形態２における複写機において両面搬送ユニットを回転させている状態を説明するための斜視図
【符号の説明】
【００６４】
１  本体
２  原稿搬送ユニット
３  給紙カセット
４  原稿読み取りユニット
５  像担持体ユニット
６  帯電ユニット
７  露光ユニット
８  現像ユニット
９  転写ユニット
１０  クリーニングユニット
１１  給紙ユニット
１２  定着ユニット
１３  排出ユニット
１４  両面搬送ユニット
１５  スライドレール
１６  載置板
１７  ピン
１８  貫通孔
１９  板バネ
２０  固定レール
【図１】
2007225723.tif 000003
【図２】
2007225723.tif 000004
【図３】
2007225723.tif 000005
【図４】
2007225723.tif 000006
【図５】
2007225723.tif 000007
【図６】
2007225723.tif 000008
【図７】
2007225723.tif 000009
【図８】
2007225723.tif 000010
【図９】
2007225723.tif 000011
【図１０】
2007225723.tif 000012
【図１１】
2007225723.tif 000013
【図１２】
2007225723.tif 000014